【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
コンピュータで実施されるシステムであって：
非回収型検知システム（ＮＲＳＳ）と；
前記ＮＲＳＳに予め装填された複数の脱着モジュール（ＤＭ）であって、各ＤＭは、集積センサを用いて、環境からの検知データを収集するように；及び、前記検知データを格納するように構成される、前記複数のＤＭと；を備え、
前記ＮＲＳＳは：
コンピュータメモリと相互作動可能に結合され、前記コンピュータで実施されるシステムの１つ又は複数の構成部品の作動を実行するように構成された、少なくとも１つのハードウェアプロセッサと；
井戸の掘削中に坑井穴の内側における前記ＮＲＳＳの調査の間に、前記ＮＲＳＳの放出溝から、ＤＭを、前記ＮＲＳＳを取り囲む環境内に展開するよう構成された脱着モジュール（ＤＭ）デリバリシステムと；を備える、
コンピュータで実施されるシステム。
【請求項２】
前記ＮＲＳＳとは別体であり、前記ＮＲＳＳの回収を必要とすることなく、前記複数のＤＭによって捕捉された前記データを読み取るよう構成された読取装置を更に備える、
請求項１に記載のコンピュータで実施されるシステム。
【請求項３】
前記ＤＭデリバリシステムは、前記ＮＲＳＳのハウジング内に格納された、ばねを含む機械式放出システムを含み、
前記ばねは、前記ＮＲＳＳが前記ＮＲＳＳの調査の際に停止点に到達したときに、前記ＮＲＳＳの慣性運動を利用して前記複数のＤＭの展開を引き起こすように構成された、
請求項１に記載のコンピュータで実施されるシステム。
【請求項４】
前記ＤＭデリバリシステムは、前記ＮＲＳＳのハウジング内に格納された、モータを含む電動式放出システムを含み、
前記モータは、前記ＮＲＳＳの調査の間、ラックと係合して、前記複数のＤＭを異なる間隔で展開するように構成され、
前記ＮＲＳＳは、前記モータに給電するためのバッテリを含む、
請求項１に記載のコンピュータで実施されるシステム。
【請求項５】
前記ＮＲＳＳは：
３軸磁力計と、３軸加速度計と、３軸ジャイロスコープとを含む位置的／運動的構成部品と；
前記ＮＲＳＳを制御するよう構成され、タイマと、中央処理装置（ＣＰＵ）と、入力／出力（Ｉ／Ｏ）ポートと、ランダムアクセスメモリ（ＲＡＭ）と、インタラプトと、読出し専用メモリ（ＲＯＭ）とを含むマイクロコントローラと；を含み、
前記マイクロコントローラは、前記位置的／運動的構成部品と前記タイマとの少なくとも１つからの情報を用いて前記異なる間隔を決定する、
請求項４に記載のコンピュータで実施されるシステム。
【請求項６】
前記ＮＲＳＳは、流体が中心を通って流れることを許容するパイプ形状の構造を有する、
請求項１に記載のコンピュータで実施されるシステム。 
【請求項７】
各ＤＭは：
前記ＮＲＳＳとの通信と、前記ＤＭがデータを提供する外部システムとの通信を制御することを含め、前記ＤＭを制御するように構成されたマイクロコントローラを含むプリント回路基板と；
センサ情報を格納する記憶チップと；
前記ＮＲＳＳの放出溝の中の給電接点と係合するための電極と；を含む、
請求項１に記載のコンピュータで実施されるシステム。
【請求項８】
各ＤＭの形状は、球形、円筒形、楕円形、又はカプセル形である、
請求項１に記載のコンピュータで実施されるシステム。
【請求項９】
前記集積センサは、温度センサ、圧力センサ、ガンマ線センサ、音響センサ、分光センサ、化学センサ、又は水素イオン指数（ＰＨ）センサのうちの少なくとも１つを含む、
請求項１に記載のコンピュータで実施されるシステム。
【請求項１０】
各ＤＭは、前記ＤＭの外部にあるＲＦＩＤ読取装置とデータを通信するように構成された無線周波識別器（ＲＦＩＤ）を更に含む、
請求項１に記載のコンピュータで実施されるシステム。
【請求項１１】
前記坑井穴は、陸上油井、海底油井、陸上ガス井、又は海底ガス井の坑井穴である、
請求項１に記載のコンピュータで実施されるシステム。
【請求項１２】
コンピュータで実施される方法であって：
ＮＲＳＳを用いて坑井穴の調査を開始するステップと；
複数のＤＭを前記ＮＲＳＳに予め装填するステップと；
前記ＮＲＳＳが前記坑井穴の検知データを収集及び格納するように構成するステップと；
前記ＮＲＳＳを前記坑井穴内に展開するステップと；
前記ＮＲＳＳを用いて環境条件又は坑井穴情報を収集及び格納するステップと；
前記複数のＤＭを前記坑井穴内に放出するための条件を監視するステップと；
前記複数のＤＭを前記坑井穴内に展開するステップであって、各ＤＭは集積センサを備える、前記展開するステップと；
前記複数のＤＭのうちの少なくとも１つの、前記集積センサを用いて、環境条件を収集し、及び、前記複数のＤＭの前記少なくとも１つに前記環境条件を格納するステップと；
前記複数のＤＭからデータを取得するステップと；
運用の意志決定を行うために前記取得データを用いるステップと；を備える、
コンピュータで実施される方法。
【請求項１３】
前記複数のＤＭを展開する前記ステップは、前記ＮＲＳＳのハウジング内に格納された、ばねを含む機械式放出システムを用いるステップを含み、
前記ばねは、前記ＮＲＳＳが前記ＮＲＳＳの調査の際に停止点に到達したときに、前記ＮＲＳＳの慣性運動を利用して前記複数のＤＭの展開を引き起こすように構成された、
請求項１２に記載のコンピュータで実施される方法。
【請求項１４】
前記複数のＤＭを展開する前記ステップは、前記ＮＲＳＳのハウジング内に格納された、モータを含む電動式放出システムを用いるステップを含み、
前記モータは、前記ＮＲＳＳの調査の間、ラックと係合して、前記複数のＤＭを異なる間隔で展開するように構成され、
前記ＮＲＳＳは、前記モータに給電するためのバッテリを含む、
請求項１２に記載のコンピュータで実施される方法。
【請求項１５】
前記ＮＲＳＳは：
３軸磁力計と、３軸加速度計と、３軸ジャイロスコープとを含む位置的／運動的構成部品と；
前記ＮＲＳＳを制御するよう構成され、タイマと、中央処理装置（ＣＰＵ）と、入力／出力（Ｉ／Ｏ）ポートと、ランダムアクセスメモリ（ＲＡＭ）と、インタラプトと、読出し専用メモリ（ＲＯＭ）とを含むマイクロコントローラと；を含み、
前記マイクロコントローラは、前記位置的／運動的構成部品と前記タイマとの少なくとも１つからの情報を用いて前記異なる間隔を決定する、
請求項１４に記載のコンピュータで実施される方法。
【請求項１６】
各ＤＭは：
前記ＮＲＳＳとの通信と、前記ＤＭがデータを提供する外部システムとの通信を制御することを含め、前記ＤＭを制御するように構成されたマイクロコントローラを含むプリント回路基板と；
センサ情報を格納する記憶チップと；
前記ＮＲＳＳの放出溝の中の給電接点と係合するための電極と；を含む、
請求項１２に記載のコンピュータで実施される方法。
【請求項１７】
各ＤＭの形状は、球形、円筒形、楕円形、又はカプセル形である、
請求項１２に記載のコンピュータで実施される方法。
【請求項１８】
前記集積センサは、温度センサ、圧力センサ、ガンマ線センサ、音響センサ、分光センサ、化学センサ、又は水素イオン指数（ＰＨ）センサのうちの少なくとも１つを含む、
請求項１２に記載のコンピュータで実施される方法。
【請求項１９】
各ＤＭは、前記ＤＭの外部にあるＲＦＩＤ読取装置とデータを通信するように構成された無線周波識別器（ＲＦＩＤ）を更に含む、
請求項１２に記載のコンピュータで実施される方法。
【請求項２０】
前記坑井穴は、陸上油井、海底油井、陸上ガス井、又は海底ガス井の坑井穴である、
請求項１２に記載のコンピュータで実施される方法。
【手続補正２】
【補正対象書類名】明細書
【補正対象項目名】０１０８
【補正方法】変更
【補正の内容】
【０１０８】
更に、請求されるいずれの実施も、少なくとも：コンピュータによる実施の方法；コンピュータによる実施の方法を実行するためのコンピュータ読取り可能命令を格納する非一時的コンピュータ読取り可能媒体；及び、コンピュータにより実行される方法を実行するように構成されたハードウェアプロセッサ又は非一時的なコンピュータ読取り可能媒体に格納された命令と相互運用可能に結合されたコンピュータメモリを含むコンピュータシステム；に適用可能であるとみなされる。
［第１の局面］
コンピュータで実施されるシステムであって：
非回収型検知システム（ＮＲＳＳ）と；
環境からの検知データを収集及び格納するように構成された複数の脱着モジュール（ＤＭ）と；を備え、
前記ＮＲＳＳは：
コンピュータメモリと相互作動可能に結合され、前記コンピュータで実施されるシステムの１つ又は複数の構成部品の作動を実行するように構成された少なくとも１つのハードウェアプロセッサと；
油井の掘削中に坑井穴の内側における前記ＮＲＳＳの調査の間に、前記ＮＲＳＳの放出溝から、前記複数のＤＭを、前記ＮＲＳＳを取り囲む環境内に展開するよう構成された脱着モジュール（ＤＭ）デリバリシステムと；を備える、
コンピュータで実施されるシステム。
［第２の局面］
前記ＮＲＳＳとは別体であり、前記ＮＲＳＳの回収を必要とすることなく、前記ＤＭによって捕捉された前記データを読み取るよう構成された読取装置を更に備える、
第１の局面に記載のコンピュータで実施されるシステム。
［第３の局面］
前記ＤＭデリバリシステムは、前記ＮＲＳＳのハウジング内に格納された、ばねを備える機械式放出システムを備え、
前記ばねは、前記ＮＲＳＳが前記ＮＲＳＳの調査の際に停止点に到達したときに、前記ＮＲＳＳの慣性運動を利用して前記複数のＤＭの展開を引き起こすように構成された、
第１の局面に記載のコンピュータで実施されるシステム。
［第４の局面］
前記ＤＭデリバリシステムは、前記ＮＲＳＳのハウジング内に格納された、モータを備える電動式放出システムを備え、
前記モータは、前記ＮＲＳＳの調査の際にラックと係合して、前記複数のＤＭを異なる間隔で展開するように構成され、
前記ＮＲＳＳは、前記モータに給電するためのバッテリを備える、
第１の局面に記載のコンピュータで実施されるシステム。
［第５の局面］
前記ＮＲＳＳは、流体が中心を通って流れることを許容するパイプ形状の構造を有する、
第１の局面に記載のコンピュータで実施されるシステム。 
［第６の局面］
前記ＤＭは：
前記ＮＲＳＳとの通信と、前記ＤＭがデータを提供する外部システムとの通信を制御することを含め、前記ＤＭを制御するように構成されたマイクロコントローラを備えるプリント回路基板と；
センサ情報を格納する記憶チップと；
前記ＮＲＳＳの放出溝の中の給電接点と係合するための電極と；を備える、
第１の局面に記載のコンピュータで実施されるシステム。
［第７の局面］
前記ＮＲＳＳは：
３軸磁力計と、３軸加速度計と、３軸ジャイロスコープとを含む位置的／運動的構成部品と；
前記ＮＲＳＳを制御するよう構成され、タイマと、中央処理装置（ＣＰＵ）と、入力／出力（Ｉ／Ｏ）ポートと、ランダムアクセスメモリ（ＲＡＭ）と、インタラプトと、読出し専用メモリ（ＲＯＭ）とを備えるマイクロコントローラと；を備え、
前記マイクロコントローラは、前記位置的／運動的構成部品と前記タイマとの少なくとも１つからの情報を用いて異なる間隔を決定する、
第１の局面に記載のコンピュータで実施されるシステム。
［第８の局面］
前記ＤＭの形状は、球形、円筒形、楕円形、又はカプセル形である、
第１の局面に記載のコンピュータで実施されるシステム。
［第９の局面］
前記ＤＭは、温度センサ、圧力センサ、磁界センサ、ガンマ線センサ、音響センサ、分光センサ、化学センサ、及び水素イオン指数（ＰＨ）センサを含む集積センサを更に備える、
第５の局面に記載のコンピュータで実施されるシステム。
［第１０の局面］
前記ＤＭは、前記ＤＭの外部にあるＲＦＩＤ読取装置とデータを通信するように構成された無線周波識別器（ＲＦＩＤ）を更に備える、
第５の局面に記載のコンピュータで実施されるシステム。
［第１１の局面］
前記坑井穴は、陸上油井、海底油井、陸上ガス井、又は海底ガス井の坑井穴である、
第１の局面に記載のコンピュータで実施されるシステム。
［第１２の局面］
コンピュータで実施される方法であって：
ＮＲＳＳを用いて坑井の調査を開始するステップと；
複数のＤＭを前記ＮＲＳＳに予め装填するステップと；
前記ＮＲＳＳが前記坑井穴の検知データを収集及び格納するように構成するステップと；
前記ＮＲＳＳを前記坑井穴内に展開するステップと；
前記ＮＲＳＳを用いて環境条件又は坑井穴情報を収集及び格納するステップと；
前記複数のＤＭを前記坑井穴内に放出するための条件を監視するステップと；
前記複数のＤＭを前記坑井穴内に展開するステップと；
前記複数のＤＭのうちバッテリ給電型ＤＭを用いて環境条件を収集及び格納するステップと；
前記複数のＤＭからデータを取得するステップと；
運用の意志決定を行うために前記取得データを用いるステップと；を備える、
コンピュータで実施される方法。
［第１３の局面］
前記複数のＤＭを展開する前記ステップは、前記ＮＲＳＳのハウジング内に格納された、ばねを備える機械式放出システムを用いるステップを備え、
前記ばねは、前記ＮＲＳＳが前記ＮＲＳＳの調査の際に停止点に到達したときに、前記ＮＲＳＳの慣性運動を利用して前記複数のＤＭの展開を引き起こすように構成された、
第１２の局面に記載のコンピュータで実施される方法。
［第１４の局面］
前記複数のＤＭを展開する前記ステップは、前記ＮＲＳＳのハウジング内に格納された、モータを備える電動式放出システムを用いるステップを備え、
前記モータは、前記ＮＲＳＳの調査の際にラックと係合して、前記複数のＤＭを異なる間隔で展開するように構成され、
前記ＮＲＳＳは、前記モータに給電するためのバッテリを備える、
第１２の局面に記載のコンピュータで実施される方法。
［第１５の局面］
前記ＤＭは：
前記ＮＲＳＳとの通信と、前記ＤＭがデータを提供する外部システムとの通信を制御することを含め、前記ＤＭを制御するように構成されたマイクロコントローラを備えるプリント回路基板と；
センサ情報を格納する記憶チップと；
前記ＮＲＳＳの放出溝の中の給電接点と係合するための電極と；を備える、
第１２の局面に記載のコンピュータで実施される方法。
［第１６の局面］
前記ＮＲＳＳは：
３軸磁力計と、３軸加速度計と、３軸ジャイロスコープとを含む位置的／運動的構成部品と；
前記ＮＲＳＳを制御するよう構成され、タイマと、中央処理装置（ＣＰＵ）と、入力／出力（Ｉ／Ｏ）ポートと、ランダムアクセスメモリ（ＲＡＭ）と、インタラプトと、読出し専用メモリ（ＲＯＭ）とを備えるマイクロコントローラと；を備え、
前記マイクロコントローラは、前記位置的／運動的構成部品と前記タイマとの少なくとも１つからの情報を用いて異なる間隔を決定する、
第１２の局面に記載のコンピュータで実施される方法。
［第１７の局面］
前記ＤＭの形状は、球形、円筒形、楕円形、又はカプセル形である、
第１２の局面に記載のコンピュータで実施される方法。
［第１８の局面］
前記ＤＭは、温度センサ、圧力センサ、磁界センサ、ガンマ線センサ、音響センサ、分光センサ、化学センサ、及び水素イオン指数（ＰＨ）センサを含む集積センサを更に備える、
第１５の局面に記載のコンピュータで実施される方法。
［第１９の局面］
前記ＤＭは、前記ＤＭの外部にあるＲＦＩＤ読取装置とデータを通信するように構成された無線周波識別器（ＲＦＩＤ）を更に備える、
第１５の局面に記載のコンピュータで実施される方法。
［第２０の局面］
前記坑井穴は、陸上油井、海底油井、陸上ガス井、又は海底ガス井の坑井穴である、
第１５の局面に記載のコンピュータで実施される方法。